(57)【要約】【課題】バックルベルトがサイドブラケットより垂れ下がらないようにバックルベルトをサイドブラケットにあてがい保持することにある。【解決手段】基端側をシートフレームのサイドブラケットＢに取り付けると共に、先端側をシート側端より上方に引き出し、アンカー掛止め用のバックル２を先端側に取り付けたバックルベルト１を備える自動車用シートベルトにおいて、両端部がサイドブラケットＢに固着された所定形状の棒状金具３を備え、バックルベルト１を棒状金具３とサイドブラケットＢとの間に挿通させてサイドブラケットＢにあてがい保持した。【選択図】図２
2005119443.tif 000002
【特許請求の範囲】
【請求項１】
基端側をシートフレームのサイドブラケットに取り付けると共に、先端側をシート側端より上方に引き出し、アンカー掛止め用のバックルを先端側に取り付けたバックルベルトを備える自動車用シートベルトにおいて、両端部がサイドブラケットに固着された所定形状の棒状金具を備え、バックルベルトを棒状金具とサイドブラケットとの間に挿通させてサイドブラケットにあてがい保持したことを特徴とする自動車用シートベルト。
【発明の詳細な説明】
【技術分野】
【０００１】
本発明は、自動車用シートのシートベルトに関するものである。
【背景技術】
【０００２】
一般に、自動車用シートベルトとしては、基端側をシートフレームのサイドブラケットに取り付けると共に、先端側をシート側端より上方に引き出し、アンカー掛止め用のバックルを先端側に取り付けたバックルベルトが備え付けられている。この自動車用シートベルトの着用は、車内の所定箇所より引き出されるアンカーベルトに装着されたアンカーをバックルに掛け止めることにより行われる。
【０００３】
ところで、シートフレームのサイドブラケットは、アウターカバーで被包されている。バックルベルトを含むサイドブラケットをアウターカバーにて被包する際に、バックルベルトがサイドブラケットよりぶら下がった状態にあると、カバー取り付け作業が極めて煩雑となる。
【０００４】
また、バックルベルトがサイドブラケットより長くぶら下がっていると、バックルがシートの下方に位置することになり、シートベルトの着用時に、アンカーをバックルのアンカー掛止め口に差込む作業が煩雑となるばかりでなく、スライドタイプのシートにあっては、バックルがぶらついて、横に配置された他のシートに当たったり、当該他のシートのスライド移動の妨げとなる虞れがある。
【発明の開示】
【発明が解決しようとする課題】
【０００５】
本発明が解決しようとする課題は、バックルベルトがサイドブラケットより垂れ下がらないようにバックルベルトをサイドブラケットにあてがい保持することにある。
【課題を解決するための手段】
【０００６】
本発明は、基端側をシートフレームのサイドブラケットに取り付けると共に、先端側をシート側端より上方に引き出し、アンカー掛止め用のバックルを先端側に取り付けたバックルベルトを備える自動車用シートベルトにおいて、両端部がサイドブラケットに固着された所定形状の棒状金具を備え、バックルベルトを棒状金具とサイドブラケットとの間に挿通させてサイドブラケットにあてがい保持したことを特徴とする。
【発明の効果】
【０００７】
本発明に係る自動車用シートベルトにおいては、両端部がサイドブラケットに固着された所定形状の棒状金具とサイドブラケットとの間にバックルベルトを挿通させてバックルベルトをサイドブラケットにあてがい保持するよう構成したので、バックルベルトを含むサイドブラケットをアウターカバーにて被包する際に、バックルベルトが邪魔になることなく、カバー取付け作業を簡単に行うことができる。
【０００８】
また、バックルベルトを棒状金具でサイドブラケットにあてがい保持させることでバックルが上方に位置するようになるため、アンカーをバックルの掛止め口に差込む作業を簡単に行うことができるばかりでなく、バックルがシートのスライド移動の妨げとなるようなこともない。
【発明を実施するための最良の形態】
【０００９】
図示実施の形態は、スライドタイプの自動車用シートに適用されるシートベルトとして構成されている。図１はアームレスト埋込み式のベンチシートＡを示した斜視図であり、図２は同ベンチシートＡに適用した本発明に係るシートベルトの実施形態を示した側面図である。
【００１０】
本発明の図示実施形態に係る自動車用シートベルトは、ベンチシートＡの第一のシートクッション部Ａ１と第二のシートクッション部Ａ２との間から引き出されたアンカーベルト（図示せず）と、そのアンカーベルトの先端側に装着されたアンカー（図示せず）と、第二のシートクッション部Ａ２の側部より引き出されたバックルベルト１と、そのバックルベルト１の先端側に装着されたアンカー掛止め用のバックル２とを有している。このシートベルトは、第二のシートクッション部Ａ２に着座する乗員用のシートベルトとして構成されている。
【００１１】
バックルベルト１は、基端側がシートフレームのサイドブラケットＢに取り付けられ、サイドブラケットＢを被包するアウターカバーＣを介して外方に引き出されている。そのように外方へ引き出されたバックルベルト１の先端側には、アンカー掛止め用のバックル２が装着されている。
【００１２】
サイドブラケットＢには、両端部をサイドブラケットＢに固着された略Ｕ字状の棒状金具３が設けられていて、バックルベルト１を略Ｕ字状の棒状金具３とサイドブラケットＢとの間を挿通させることにより、バックルベルト１はサイドブラケットＢにあてがい保持されている。従って、バックルベルト１を含むサイドブラケットＢをカバーＣで被包する場合には、バックルベルト１がぶらつかないので、カバーＣの取り付け作業を簡単に行えるようになる。
【００１３】
また、バックルベルト１を棒状金具３でサイドブラケットＢにあてがい保持することにより、バックル２が下方に垂れ下がらないようにすることができるので、シートベルトを着用する際に、アンカーをバックル２のアンカー掛止め口２ａ内に簡単に差込むことができるようになるばかりでなく、バックル２がシートＡやシートＡの横に並列配置された別のスライドシート（図示せず）のスライド移動の妨げとなるようなこともない。
【００１４】
バックルベルト１をシートＡの表皮に取付けた環状ゴムバンド４に挿通させてバックルベルト１を座面側に向けて引張り保持させるように構成することができる。この場合には、バックルベルト１が環状ゴムバンド４で座面側に向けて引張り保持されるため、カバーＣの取り付け作業を更に簡単に行えるようになる。
【００１５】
また、バックルベルト１を環状ゴムバンド４で座面側に向けて引張り保持することによりバックル２のアンカー掛止め口２ａが上方に向けられた状態となるため、シートベルトを着用する際に、アンカーをバックル２のアンカー掛止め口２ａ内に更に簡単に差込むことができるようになる。
【００１６】
尚、参照符号Ｒは、シートクッション部Ａ２に対応のシートバック部Ａ３内に旋回自在に埋め込み枢支されたアームレストを示し、このアームレストＲは、シートクッション部Ａ２に乗員が誰も着座していない時に、シートバック部Ａ３より旋回引き出して、シートクッション部Ａ１に着座している乗員のアームレストとして使用することができる。
【００１７】
図示実施形態においては、本発明をベンチシートに適用した場合について説明したが、通常のシートに適用することができることは明らかである。また、スライド式シートのシートベルトに適用した場合について説明したが、本発明は固定式シートのシートベルトに適用することができることも明らかである。更に、アンカーベルトをシートから引き出したものとして説明したが、シートバックの背後の車両所定箇所より引き出せるように構成したものであってもよい。
【図面の簡単な説明】
【００１８】
【図１】本発明に係るシートベルトが適用されたスライド式自動車用シートの斜視図である。
【図２】図１のシートベルトを説明するための側面図である。
【符号の説明】
【００１９】
Ａ            シート
１            バックルベルト
２            バックル
２ａ          アンカー掛止め口
３            棒状金具
【図１】
2005119443.tif 000003
【図２】
2005119443.tif 000004